(57)【特許請求の範囲】
【請求項１】
ディスク状記録媒体を挿入排出するためのスロットが設けられた装置本体と、
この装置本体の内部に設けられるとともに前記ディスク状記録媒体を回転駆動する駆動部と、
前記スロットの一端部側に設けられ前記ディスク状記録媒体をガイドするディスクガイド機構と、
前記ディスクガイド機構と連結されてなり、前記ディスク状記録媒体の径に応じて前記ディスクガイド機構を移動させるディスク径検知機構とを備え、
前記ディスクガイド機構は、前記スロットの一端部側に設けられ、対向する側に向けて付勢されており、かつ、
前記ディスク径検知機構は、大きな直径のディスク状記録媒体が前記スロットに挿入された場合には前記ディスクガイド機構を前記一端部側の方向に後退させる
ことを特徴とした記録媒体駆動装置。
【請求項２】
請求項１に記載された記録媒体駆動装置において、
前記ディスク径検知機構は、一端部が前記ディスク状記録媒体と当接するとともに他端部側が回動自在とされたアームと、このアームに連結され前記大きな直径のディスク状記録媒体が挿入された場合には前記ディスクガイド機構の移動を許容し、小さな直径の前記ディスク状記録媒体が挿入された場合には前記ディスクガイド機構の移動を阻止するアームリンク機構とを備えた、
ことを特徴とした記録媒体駆動装置。
【請求項３】
請求項１又は２に記載された記録媒体駆動装置において、
前記ディスクガイド機構は、互いに所定間隔離れて配置されるとともにそれぞれ一端部が回動可能に前記装置本体に支持された複数の第１リンクと、これらの第１リンクの他端部側同士を連結するとともに前記第１リンクの回動に伴って前記駆動部に近接離隔する第２リンクとを備えた、
ことを特徴とした記録媒体駆動装置。
【請求項４】
請求項３に記載された記録媒体駆動装置において、
前記ディスク径検知機構は前記第１リンクの回動を阻止する回動阻止用リンクを備えた、
ことを特徴とした記録媒体駆動装置。
【請求項５】
請求項３又は４に記載された記録媒体駆動装置において、
前記第１リンクと前記第２リンクとの連結部近傍には前記ディスク状記録媒体と当接する当接部が設けられている、
ことを特徴とした記録媒体駆動装置。
【請求項６】
請求項１から５のいずれかに記載された記録媒体駆動装置において、
前記ディスクガイド機構と前記ディスク径検知機構とは、それぞれ前記駆動部が駆動する際には前記ディスク状記録媒体から離隔されている、
ことを特徴とした記録媒体駆動装置。
【請求項７】
請求項２から４のいずれかに記載された記録媒体駆動装置において、
前記ディスク状記録媒体が前記スロットから所定位置に押し込まれたことを検知するスイッチをさらに備え、前記ディスク径検知機構は、前記スイッチで前記ディスク状記録媒体が所定位置に押し込まれたことを検知したら前記アームで前記ディスク状記録媒体を前期駆動部側に押し込む、
ことを特徴とした記録媒体駆動装置。
【請求項８】
請求項２から７のいずれかに記載された記録媒体駆動装置において、
前記アームと前記ディスクガイド機構とは前記ディスク状記録媒体が配置される平面内に配置されている、
ことを特徴とした記録媒体駆動装置。
【発明の詳細な説明】
【技術分野】
【０００１】
本発明は、ディスク状記録媒体を挿入排出するためのスロットが装置本体に設けられ、この装置本体の内部の略中心部にディスク状記録媒体を回転駆動する駆動部が設けられた記録媒体駆動装置に関する。
【背景技術】
【０００２】
従来、この種の記録媒体駆動装置として、ディスク状記録媒体が利用者により所定位置まで挿入されると、自動的にディスク状記録媒体を所定の処理位置まで搬送する、いわゆるスロットインタイプ（slot-in type）のディスク装置が知られている。
このタイプのディスク装置には、１２ｃｍのディスク状記録媒体と８ｃｍのディスク状記録媒体との双方が適用可能とされたものがある。
大きさの異なる２種類のディスク状記録媒体が適用されるディスク装置の従来例として、ディスク挿入口に沿ってディスクを挿入する移送ローラを設け、この移送ローラの近傍にディスクの径の大小を判別する中央センサ、右センサ及び左センサを設けたディスク再生装置がある（特許文献１）。
【０００３】
この特許文献１では、移送ローラは、ディスクを、その平面部を摺接しながら所定位置に搬送するものであり、搬送されたディスクは、その大きさを３種類のセンサで判別された後、装置の奥側に設けられた位置決めピンを有する位置決め機構で所定位置に位置決めされる。
【０００４】
【特許文献１】特開平２−１１８９５５号公報（第３頁〜第４頁、図１〜図２参照）
【発明の開示】
【発明が解決しようとする課題】
【０００５】
このスロットインタイプのディスク装置には薄型のタイプが知られているが、このタイプの装置では従来１２ｃｍのディスクが適用されており、現在では、１２ｃｍのディスクの他に８ｃｍのディスクも適用できる装置はない。
ここで、薄型の装置に特許文献１の構成を採用することが考えられるが、特許文献１は、薄型を前提としていないので、その構成を薄型のディスク装置にそのまま採用することはできない。
つまり、特許文献１では、移送ローラがディスクの平面と対向する位置に設けられているものであるので、薄型化するにも限界があるという課題が一例として挙げられる。
さらに、特許文献１では、中央センサ、右センサ及び左センサの３種類のセンサが必要であるので、これらのセンサを配置するのにスペースが必要とされ、この点からも薄型化に限界が生じるという課題が一例として挙げられる。
【０００６】
本発明の目的の一つは、大きさの異なるディスク状記録媒体を適用できるとともに薄型化に適した記録媒体駆動装置を提供することにある。
【課題を解決するための手段】
【０００７】
本発明の記録媒体駆動装置は、ディスク状記録媒体を挿入排出するためのスロットが設けられた装置本体と、この装置本体の内部に設けられるとともに前記ディスク状記録媒体を回転駆動する駆動部と、前記スロットの一端部側に設けられ前記ディスク状記録媒体をガイドするディスクガイド機構と、前記ディスクガイド機構と連結されてなり、前記ディスク状記録媒体の径に応じて前記ディスクガイド機構を移動させるディスク径検知機構とを備え、前記ディスクガイド機構は、前記スロットの一端部側に設けられ、対向する側に向けて付勢されており、かつ前記ディスク径検知機構は、大きな直径のディスク状記録媒体が前記スロットに挿入された場合には前記ディスクガイド機構を前記一端部側の方向に後退させることを特徴とする。
【発明を実施するための最良の形態】
【０００８】
以下、本発明の一実施形態を図面に基づいて説明する。
本実施形態では、ディスク状記録媒体として、情報の読み出しあるいは記録のみでもよい。さらに、ディスク状記録媒体としては、光ディスクに限らず、磁気ディスク、光磁気ディスクなどのいずれのディスク状記録媒体を対象とすることができる。また、例えば携帯型のパーソナルコンピュータなどの電気機器に装着されるいわゆる薄型のスロットインタイプで例示するが、例えばゲーム機や映像データの録画などの記録や再生のための処理をする再生装置などの単体の構成としてもよい。
【０００９】
（ディスク装置の構成）
図１において、本実施形態の記録媒体駆動装置は、例えば携帯型のパーソナルコンピュータ等の電気機器に装着されるいわゆる薄型のスロットインタイプのディスク装置である。このディスク装置は、着脱可能に装着されるディスク状記録媒体としての円板状の光ディスク１における少なくとも一面に設けられた図示しない記録面に記録された情報を読み出す情報処理である読取処理や記録面へ各種情報を記録する情報処理である記録処理をする。
ディスク装置は、例えば金属製で内部空間を有する略箱形状の装置本体１０を備えて構成されている。
【００１０】
装置本体１０の内部には、いわゆるトラバースメカ（traverse mechanism）と称されるディスク処理部２０と、光ディスク１を搬送する搬送手段３０と、図示しない制御回路部とが設けられており、その正面に光ディスク１を挿入排出するためのスロット１０Ａが図１中左右方向に延びて形成されている。
ディスク処理部２０は、例えば金属板にて略板状に形成され一端が揺動自在に装置本体１０に支持された台座部２１を有している。
この台座部２１には、周縁近傍である長手方向の一端側に位置して、ディスク回転駆動手段２２が配設されている。このディスク回転駆動手段２２は、図示しないスピンドルモータと、このスピンドルモータの出力軸に一体的に設けられたターンテーブル２３とを備えている。スピンドルモータは、制御回路部に制御可能に接続され、制御回路部から供給される電力により駆動する。
ターンテーブル２３は、装置本体１０の内部の略中心部に設けられるとともに光ディスク１を回転駆動する駆動部である。
【００１１】
台座部２１には情報処理部（図示せず）が配設されており、この情報処理部は、図示しない一対のガイドシャフト間に架橋する状態に支持されているとともに、図示しない移動機構で情報処理部をターンテーブル２３に対して近接離隔させる。
情報処理部は、光源と、この光源からの光を収束するレンズと、光ディスク１で反射された出射光を検出する図示しない光センサとを有するピックアップを備えている。
台座部２１には、カバー体２１Ａが一体的に取り付けられている。このカバー体２１Ａには、ピックアップの移動経路及びターンテーブル２３の位置に対応して台座部２１の長手方向に沿って長手状の処理開口部２１Ｂが略中央に切欠形成されている。
【００１２】
搬送手段３０は、装置本体１０に配設された、例えば制御回路部に動作制御される図示しない搬送モータと、この搬送モータの駆動により連動するリンク機構部３１とを備えている。
リンク機構部３１は、装置本体１０の内部であってスロット１０Ａの一端部側（図１では左側）に設けられたディスクガイド機構４１と、装置本体１０の内部であってスロット１０Ａの他端部側（図１では右側）に設けられたディスク径検知機構４２と、ターンテーブル２３に配置された光ディスク１を排出するディスク排出機構４３と、台座部２１を揺動させる第１の駆動カム４４及び第２の駆動カム４５とを備えている。
【００１３】
第１の駆動カム４４及び第２の駆動カム４５は、それぞれ係合突起が形成されており、これらの係合突起が台座部２１の２つの側面に形成されたカム溝（図示せず）にそれぞれ係合される。第１の駆動カム４４及び第２の駆動カム４５は、略長尺状に形成されており、図示しないモータ及び歯車機構により長手方向に沿って進退される。これにより、台座部２１はターンテーブル２３に装着された光ディスク１の記録面に近接離隔するように揺動される。
【００１４】
ディスクガイド機構４１は、互いに所定間隔離れて配置されるとともに一端部がそれぞれ装置本体１０に回動自在に支持された２本の第１リンク４１１と、これらの第１リンク４１１の他端部同士を連結する１本の第２リンク４１２とを備え、光ディスク１をスロット１０Ａの他端側（図１では右側）に向けて前進可能又は後退可能とした平行リンクである。
これらの第１リンク４１１及び第２リンク４１２は、ターンテーブル２３の回転軸と直交する平面内に配置されている。
２本の第１リンク４１１のうち１本はスロット１０Ａ側に配置され、残り１本は奥側に配置されている。残り１本の第１リンク４１１はピン４１１Ａを備え、このピン４１１Ａが装置本体１０に形成された円弧状のガイド部１０Ｂに沿って移動可能とされる。
【００１５】
これらの第１リンク４１１は互いに平行とされ、回動支点から同じ寸法離れた位置に第２リンク４１２との連結位置が形成されている。そのため、第２リンク４１２はターンテーブル２３に向けて近接または離隔するようにされている。
２本のうち１本の第１リンク４１１と装置本体１０との間には図示しないばねが介装されており、このばねのばね力により、第１リンク４１１が常時時計方向に回動して第２リンク４１２がターンテーブル２３に近接する方向に付勢される。
スロット１０Ａ側に配置された第１リンク４１１と第２リンク４１２との連結部近傍には光ディスク１の周縁部と当接する当接部４１Ａが設けられている。
【００１６】
ディスク径検知機構４２は、スロット１０Ａに挿入された光ディスク１が大径の第1のディスク状記録媒体である場合にはディスクガイド機構４１を後退させ光ディスク１が第１のディスク状記録媒体よりも小径の第２のディスク状記録媒体である場合にはディスクガイド機構４１を前進させるものである。
具体的には、ディスク径検知機構４２は、一端部が光ディスク１と当接するとともに他端部側が装置本体１０に回動自在とされたアーム４２１と、このアーム４２１に連結されアーム４２１の回動角度が大きい場合にはディスクガイド機構４１の後退を許容しアーム４２１の回動角度が小さい場合にはディスクガイド機構４１の後退を阻止するアームリンク機構４２２とを備えている。
【００１７】
アーム４２１は、一端部に光ディスク１の周縁部に当接するローラ状の当接部４２１Ａが設けられ他端部が装置本体１０に回動自在に支持されている。このアーム４２１は、細長い矩形状の板部材で形成されており、その長手方向に沿ってガイド溝４２１Ｂが形成されている。
アームリンク機構４２２は、ガイド溝４２１Ｂに案内される突起４２３Ａが一端部に設けられた略平板状の連結部材４２３と、この連結部材４２３と一端部が連結された略平板状の回動阻止用リンク４２４とを備えている。
アーム４２１及び連結部材４２３は、ターンテーブル２３を挟んでディスクガイド機構４１と対向された位置にあり、かつ、ディスクガイド機構４１が配置された平面と略同じ平面内に配置されている。
【００１８】
連結部材４２３は他端側において、装置本体１０に固定された回動軸４２３Ｂに対して回動自在に支持されており、回動軸４２３Ｂを挟んで突起４２３Ａと対向する位置に係合部４２３Ｃが連結部材４２３に形成されている。
回動阻止用リンク４２４はターンテーブル２３より奥側において図中左右方向に移動可能に配置されており、その右端部が係合部４２３Ｃと係合可能とされている。回動阻止用リンク４２４の左端部には第１リンク４１１のピン４１１Ａと当接可能なストッパ部４２４Ａが形成されている。
このストッパ部４２４Ａは、回動阻止用リンク４２４が図中左側に位置すると、第１リンク４１１のピン４１１Ａのガイド部１０Ｂに沿った移動軌跡上に位置することになり（図２Ａおよび図２Ｂ参照）、回動阻止用リンク４２４が図中右側に位置すると、第１リンク４１１のピン４１１Ａの移動軌跡から外れた場所に位置することになる。
【００１９】
そのため、本実施形態では、大きな直径（例えば、１２ｃｍ）の光ディスク１をスロット１０Ａから挿入すると、この光ディスク１に押されてアーム４２１が大きく反時計方向に回動することになり、これに伴って連結部材４２３も大きく反時計方向に回動する（図４参照）。この連結部材４２３の大きな回動に伴って回動阻止用リンク４２４が図１中右側に移動し、ストッパ部４２４Ａがピン４１１Ａの移動軌跡から外れ、ディスクガイド機構４１の後退が許容される（図５参照）。
これに対して、小さな直径（例えば、８ｃｍ）の光ディスク１を挿入すると、この光ディスク１に押されるアーム４２１は小さく反時計方向に回動することになり、これに伴って連結部材４２３も小さく反時計方向に回動する。この連結部材４２３が回動しても、その回動量が小さいので、回動阻止用リンク４２４は図１中左側に位置したままとなり、ストッパ部４２４Ａがピン４１１Ａの移動軌跡上に位置する（図１０参照）。この状態で、光ディスク１が挿入され続けると、図２Ａに示される通り、第２リンク４１２がターンテーブル２３から離れる方向に所定位置まで移動する（ディスクガイド機構４１が後退する）が、所定の位置になると、図２Ｂに示される通り、ピン４１１Ａがストッパ部４２４Ａに当接し、第２リンク４１２の移動が阻止される。
【００２０】
図１に戻って、本実施形態では、アーム４２１と、連結部材４２３と、この連結部材４２３の他端部が連結され進退駆動する第１の駆動カム４４と、光ディスク１がスロット１０Ａから所定位置に押し込まれたことを検知するスイッチとを備えてディスク送り機構５０が構成されている。このスイッチは後述のイジェクトアーム６１１，６１２を備え、これらのイジェクトアーム６１１，６１２が光ディスク１の押し込みによって回動したら、第１の駆動カム４４を前進動作させる。
このディスク送り機構５０は、スイッチで光ディスク１が所定位置に押し込まれたことを検知したらアーム４２１で光ディスク１を奥側に押し込んでターンテーブル２３に送るものである。
【００２１】
連結部材４２３と第１の駆動カム４４とには、光ディスク１が大きい場合にはターンテーブル２３へ送る光ディスク１の送り量を小さくし、光ディスク１が小さい場合にはターンテーブル２３へ送る光ディスク１の送り量を大きくするディスク送り用カム部５１が設けられている。
このディスク送り用カム部５１は、連結部材４２３に設けられた突起部５２と、この突起部５２と係合され第１の駆動カム４４に形成されたカム溝５３とを備えている。
【００２２】
図３において、カム溝５３は、大きな光ディスク１を送るための第１カム溝５３Ａと、小さな光ディスク１を送るための第２カム溝５３Ｂと、これらの第１カム溝５３Ａ及び第２カム溝５３Ｂとの一端部で合流される共通のカム溝５３Ｃとを備えて構成されている。
第１カム溝５３Ａと第２カム溝５３Ｂとは、それぞれ第１の駆動カム４４の移動方向に延びて形成されている。アーム４２１の回動量を代えるために、第２カム溝５３Ｂが第１カム溝５３Ａより経路が長く形成されている。
【００２３】
第１カム溝５３Ａ及び第２カム溝５３Ｂは、ともに他端部側に湾曲部５３Ｄが形成されており、この湾曲部５３Ｄに突起部５２が案内されると、連結部材４２３を介してアーム４２１が光ディスク１から離隔される。本実施形態では、ターンテーブル２３が回転駆動する際には第１の駆動カム４４が最も前進した位置にあり、この位置では、第１カム溝５３Ａの湾曲部５３Ｄ又は第２カム溝５３Ｂの湾曲部５３Ｄに突起部５２が案内され、ディスク送り機構５０が光ディスク１から離隔される。同様に、ターンテーブル２３が回転駆動する際には、ディスクガイド機構４１が最も後退した位置にあって光ディスク１から離隔される。
【００２４】
図１に戻って、ディスク排出機構４３は、装置本体１０の内部の奥側に設けられた第１ディスク送り出し機構６１と、この第１ディスク送り出し機構６１よりスロット側に配置され第１ディスク送り出し機構６１で送り出された光ディスク１をスロット１０Ａまで送り出す第２ディスク送り出し機構とを備えて構成されている。本実施形態においては、第２ディスク送り機構はディスクガイド機構４１である。
【００２５】
第１ディスク送り出し機構６１は、それぞれ一端部が装置本体１０の内部に回動軸６１３を介して回動自在に支持された一対のイジェクトアーム６１１，６１２を備え、これらのイジェクトアーム６１１，６１２は第１の駆動カム４４及び第２の駆動カム４５の進退動作に伴って回動される。
これらのイジェクトアーム６１１，６１２は、光ディスク１の周縁部を挟持するようにターンテーブル２３を挟んで配置されており、その先端部には光ディスク１の周縁部と当接するローラ状の当接部６１Ａがそれぞれ設けられている。
【００２６】
イジェクトアーム６２，６３と第１の駆動カム４４及び第２の駆動カム４５との間には第１の駆動カム４４及び第２の駆動カム４５の進退動に伴ってイジェクトアーム６１１，６１２を所定の動作をさせるカム機構が設けられている。
カム機構は、光ディスク１がスロット１０Ａから押し込まれる際にイジェクトアーム６１１，６１２の先端部同士の開放を許容し、ターンテーブル２３が回転駆動する際には、先端部同士を最も開放された位置にして光ディスク１から離隔する。
ディスクガイド機構４１は、スロット１０Ａ側の第１リンク４１１が時計方向に回動する構造であるため、当接部４１Ａが光ディスク１の周縁部を押し出すことで第２ディスク送り機構として機能する。
なお、回動阻止用リンク４２４にはイジェクトアーム６１１，６１２との干渉を防止するための溝や切欠きが適宜な箇所に形成されている。
【００２７】
（ディスク装置の動作）
次に、本実施形態におけるディスク装置の動作を説明する。
まず、図１、４〜９に基づいて、大きな直径（１２ｃｍ）の光ディスク１をディスク装置に挿入・排出する動作について説明する。
図１に示される通り、人の手で、大きな直径の光ディスク１をスロット１０Ａからディスク装置の内部に向けて押し込むと、図４に示される通り、光ディスク１の周縁部がディスク径検知機構４２を構成するアーム４２１の当接部４２１Ａを大きく回動させるとともにディスクガイド機構４１の当接部４１Ａを押すことになる。これにより、アーム４２１とともに連結部材４２３が大きく回動することで、第１の駆動カム４４の共通カム溝５３Ｃの上に位置する連結部材４２３の突起部５２は第１カム溝５３Ａ側に移動する。さらに、連結部材４２３が大きく回動することで、回動阻止用リンク４２４が図中右方向に移動することになり、回動阻止用リンク４２４の左端部に形成されたストッパ部４２４Ａがディスクガイド機構４１のピン４１１Ａの移動軌跡上から外れることになる。
【００２８】
さらに、光ディスク１を押し込み続けると、図５に示される通り、ディスクガイド機構４１が変形して第２リンク４１２がターンテーブル２３から大きく後退し、大きな光ディスク１が装置内部に入り込む。さらに、イジェクトアーム６１１，６１２の当接部６１Ａに光ディスク１の周縁部が当接する。
光ディスク１を押し込み続けると、図６に示される通り、イジェクトアーム６１１，６１２の当接部６１Ａが互いに離隔して光ディスク１を挟み込む状態となる。光ディスク１が装置内部に半分以上挿入された状態となると、イジェクトアーム６１１，６１２の回動に伴って図示しないスイッチが作動し、このスイッチの作動に伴ってディスク送り機構５０が作動する。
【００２９】
すると、第１の駆動カム４４が前進し、第１の駆動カム４４に形成された第１カム溝５３Ａに沿って突起部５２が移動する。これにより、突起部５２が設けられた連結部材４２３が時計方向に回動し、これに伴って、アーム４２１が同方向に回動して光ディスク１をターンテーブル２３に向けて押し込むことになる。図７に示される通り、アーム４２１は光ディスク１の中心がターンテーブル２３の上に位置するまで回動する。
図８に示される通り、アーム４２１で光ディスク１をターンテーブル２３まで押し込むと、第１カム溝５３Ａの端部に形成された湾曲部５３Ｄに突起部５２が案内され、アーム４２１が逆方向に回動して当接部４２１Ａが光ディスク１の周縁部から離反する。さらに、イジェクトアーム６１１，６１２及びディスクガイド機構４１も光ディスク１から離反して光ディスク１の回転が阻害されない状態となる。
光ディスク１の中心がターンテーブル２３の上に位置すると、第１の駆動カム４４及び第２の駆動カム４５の移動により、台座部２１は光ディスク１の記録面に対して近接し、ターンテーブル２３に対して光ディスク１がクランプされる。この状態で、ターンテーブル２３が回転し、光ディスク１に情報が記録及び／又は再生される。
【００３０】
光ディスク１をディスク装置から排出するには、まず、第１の駆動カム４４及び第２の駆動カム４５を前述とは逆方向に移動させ、台座部２１を光ディスク１の記録面から離隔させる。
さらに、第１ディスク送り出し機構６１を作動させる。すると、イジェクトアーム６１１，６１２が回動して光ディスク１の周縁部をスロット１０Ａに向けて押し出す。この状態では、ディスクガイド機構４１はターンテーブル２３から後退しており、アーム４２１の当接部４２１Ａは大きく回動されたままである。
図９に示される通り、イジェクトアーム６１１，６１２により光ディスク１が略半分以上スロット１０Ａから排出されると、イジェクトアーム６１１，６１２が光ディスク１を押すことができないが、第２ディスク送り出し機構であるディスクガイド機構４１が作動して光ディスク１がスロット１０Ａから完全に排出されることになる。つまり、第１リンク４１１がばねの付勢力により時計方向に回動することで、当接部４１Ａが光ディスク１の周縁部を押し出す。
【００３１】
次に、図１０から図１４に基づいて、小さな直径（８ｃｍ）の光ディスク１をディスク装置に挿入・排出する動作について説明する。
図１０に示される通り、人の手で、小さな直径の光ディスク１をスロット１０Ａからディスク装置の内部に向けて押し込むと、図１１に示される通り、光ディスク１の周縁部がアーム４２１の当接部４２１Ａを小さく反時計方向に回動させるとともにディスクガイド機構４１の当接部４１Ａを押すことになる。これにより、アーム４２１とともに回動する連結部材４２３の移動量が小さいので、第１の駆動カム４４の共通カム溝５３Ｃの上に位置する突起部５２は第２カム溝５３Ｂ側のままとなる。さらに、連結部材４２３の回動量が小さいので、回動阻止用リンク４２４の図中右方向への移動がきわめて小さく、回動阻止用リンク４２４の左端部に形成されたストッパ部４２４Ａはディスクガイド機構４１のピン４１１Ａの移動軌跡上に位置することになる（図２Ａおよび図２Ｂ参照）。
【００３２】
図１１に示される通り、光ディスク１を押し込み続けると、ディスクガイド機構４１が変形するが、ピン４１１Ａが回動阻止用リンク４２４のストッパ部４２４Ａに当接すると、それ以上、ディスクガイド機構４１が変形しなくなる。この状態で光ディスク１を押し込み続けると、イジェクトアーム６１１，６１２の当接部６１Ａに光ディスク１が当接する。
光ディスク１が装置内部に半分以上挿入された状態となると、イジェクトアーム６１１，６１２の回動に伴って図示しないスイッチが作動し、このスイッチの作動に伴ってディスク送り機構５０が作動する。
【００３３】
すると、第１の駆動カム４４が前進し、第１の駆動カム４４に形成された第２カム溝５３Ｂに沿って突起部５２が移動する。これにより、突起部５２が設けられた連結部材４２３が時計方向に大きく回動し、これに伴って、アーム４２１が同方向に回動して光ディスク１をターンテーブル２３に向けて押し込むことになる。第２カム溝５３Ｂに沿って突起部５２が移動することになるので、アーム４２１の回動量は、前述の大きなディスク１の場合に比べて大きくなる。図１２に示される通り、アーム４２１は光ディスク１の中心がターンテーブル２３の上に位置するまで回動する。
【００３４】
図１３に示される通り、アーム４２１で光ディスク１をターンテーブル２３まで押し込むと、第２カム溝５３Ｂの端部に形成された湾曲部５３Ｄに突起部５２が案内され、アーム４２１が逆方向に回動して当接部４２１Ａが光ディスク１の周縁部から離反する。さらに、前述と同様に、イジェクトアーム６１１，６１２及びディスクガイド機構４１も光ディスク１から離反して光ディスク１の回転が阻害されない状態となる。
【００３５】
光ディスク１をディスク装置から排出するには、前述と同様に、第１ディスク送り出し機構６１を作動させる。つまり、図１４に示される通り、イジェクトアーム６１１，６１２をそれぞれ回動させることで光ディスク１の周縁部をスロット１０Ａに向けて押し出す。
イジェクトアーム６１１，６１２により光ディスク１が略半分以上スロット１０Ａから排出されると、イジェクトアーム６１１，６１２が光ディスク１を押すことができないが、ディスクガイド機構４１の第１リンク４１１がばねの付勢力により時計方向に回動することで、当接部４１Ａが光ディスク１の周縁部を押し出すことになる。
【００３６】
（ディスク装置の作用効果）
上述したように、本実施形態では、次の作用効果を奏することができる。
（１）本実施形態のディスク装置は、装置本体１０の内部においてスロット１０Ａの一端部側に設けられ光ディスク１をガイドするディスクガイド機構４１と、装置本体１０の内部においてスロット１０Ａの他端部側に設けられスロット１０Ａに挿入された光ディスク１が大きい場合にはディスクガイド機構４１を後退させ光ディスク１が小さい場合にはディスクガイド機構４１を前進させるディスク径検知機構４２とを備えたので、スロット１０Ａの両側に配置されるディスクガイド機構４１とディスク径検知機構４２とで径の大きさに応じて光ディスク１のセンタリングを行うことができる。そのため、光ディスク１の表裏面を挟んで一対のローラを設けなくても、しかも、光ディスク１の径の大きさを判別するスイッチ類を設けなくても、大きさの異なる光ディスク１を薄型化したディスク装置に適用することができる。
【００３７】
（２）ディスクガイド機構４１は常時前進する方向に付勢されているから、小さい径の光ディスク１を挿入する際にディスクガイド機構４１を大きく前進させる構造を採用する必要がないので、装置の構造が簡易となる。
【００３８】
（３）ディスク径検知機構４２は、一端部が光ディスク１と当接するとともに他端部側が回動自在とされたアーム４２１と、このアーム４２１に連結されアーム４２１の回動角度が大きい場合にはディスクガイド機構４１の後退を許容しアーム４２１の回動角度が小さい場合にはディスクガイド機構４１の後退を阻止するアームリンク機構４２２とを備えた構成としたので、光ディスク１の径の大きさをアーム４２１の回動角度で判別し、この判別に基づいてアームリンク機構４２２でディスクガイド機構４１を制御した。そのため、光ディスク１の径の大きさが３種類以上であっても、その径に応じて光ディスク１をセンタリングすることができる。
【００３９】
（４）ディスクガイド機構４１は、互いに所定間隔離れて配置されるとともにそれぞれ一端部が回動可能に装置本体１０に支持された２本の第１リンク４１１と、これらの第１リンク４１１の他端部側同士を連結するとともに第１リンク４１１の回動に伴ってターンテーブル２３に近接離隔する第２リンク４１２とを備えたから、径の異なる光ディスク１を平行リンクという簡易な構成でガイドすることができる。
【００４０】
（５）ディスク径検知機構４２は第１リンク４１１の回動を阻止する回動阻止用リンク４２４を備えたから、回動阻止用リンク４２４という簡易な手段でディスクガイド機構４１の後退を確実に阻止することができる。
【００４１】
（６）第１リンク４１１と第２リンク４１２との連結部近傍に光ディスク１と当接する当接部４１Ａを設けた。第１リンク４１１と第２リンク４１２との連結部近傍は光ディスク１をスロット１０Ａから挿入する際に当接しやすい箇所であるため、この箇所に当接部４１Ａを設けることで、第１リンク４１１及び第２リンク４１２からなる平行リンクを円滑に変形させてディスクガイド機構４１を確実に作動させることができる。
【００４２】
（７）ディスクガイド機構４１とディスク径検知機構４２とは、それぞれターンテーブル２３が回転駆動する際には光ディスク１から離隔されるように構成されているため、光ディスク１の記録面に情報を記録及び／又は再生する際に、ディスクガイド機構４１及びディスク径検知機構４２とが干渉することがない。
【００４３】
（８）ディスク装置は、光ディスク１がスロット１０Ａから所定位置に押し込まれたことを検知するスイッチを備え、このスイッチの検知によりアーム４２１が光ディスク１を奥側に押し込む構成としたので、ディスク径検知機構４２を適正なタイミングで作動させることができる。
【００４４】
（９）アーム４２１とディスクガイド機構４１とは光ディスク１が配置される平面内に配置されているから、この点からも、ディスク装置の薄型化を達成することができる。
【００４５】
（１０）ターンテーブル２３を囲んでディスクガイド機構４１、アーム４２１、連結部材４２３及び回動阻止用リンク４２４が配置されているので、これらの装置を無駄なく合理的に配置したことで、ディスク装置の小型化を達成することができる。
【００４６】
（１１）本実施形態のディスク装置は、装置本体１０の内部に設けられスロット１０Ａに挿入された光ディスク１をターンテーブル２３に送るディスク送り機構５０を備え、このディスク送り機構５０は、光ディスク１が大きい場合には送り量を小さくし、光ディスク１が小さい場合には送り量を大きくする構成としたので、１２ｃｍと８ｃｍの径の異なる２種類の光ディスク１をスロット１０Ａからターンテーブル２３まで送ることができる。そのため、光ディスク１の表裏面を挟んで一対のローラを設けなくても、しかも、光ディスク１の径の大きさを判別するスイッチ類を設けなくても、大きさの異なる光ディスク１をスロット１０Ａからターンテーブル２３まで送ることができる。
【００４７】
（１２）ディスク送り機構５０は、一端部が光ディスク１と当接するとともに他端部側が回動自在とされたアーム４２１と、このアーム４２１に一端部が連結された連結部材４２３と、この連結部材４２３の他端部が連結され進退駆動する第１の駆動カム４４とを備え、連結部材４２３と第１の駆動カム４４とには光ディスク１が大きい場合にはアーム４２１の回動量を小さくし、光ディスク１が小さい場合にはアーム４２１の回動量を大きくするディスク送り用カム部５１が設けられているから、光ディスク１の径の大きさをアーム４２１の回動角度で判別し、この判別に基づいてディスク送り用カム部５１で連結部材４２３と第１の駆動カム４４とを相対移動させた。そのため、光ディスク１の径の大きさが異なっても、その径に応じて光ディスク１をカムという簡易な手段でターンテーブル２３に正確に送ることができる。
【００４８】
（１３）ディスク送り用カム部５１は、連結部材４２３に設けられた突起部５２と、この突起部５２と係合され第１の駆動カム４４に形成されたカム溝５３とを備え、このカム溝５３は大きな光ディスク１を送るための第１カム溝５３Ａと、小さな光ディスク１を送るための第２カム溝５３Ｂとを備えて構成されているから、第１の駆動カム４４に複数のカム溝を形成し、連結部材４２３に突起部５２を設けるという簡易な構造でディスク送り用カム部５１を構成することができる。そのため、ディスク送り用カム部５１を製造するためのコストを低くすることができる。
【００４９】
（１４）第１カム溝５３Ａと第２カム溝５３Ｂとの一端部にて合流される部分には共通のカム溝５３Ｃを第１の駆動カム４４に形成したから、突起部５２を第１カム溝５３Ａと第２カム溝５３Ｂとのいずれかに切り換える前に共通のカム溝５３Ｃに係合させておくことで、第１カム溝５３Ａと第２カム溝５３Ｂとの切換を円滑に行うことができる。
【００５０】
（１５）第１の駆動カム４４はターンテーブル２３を光ディスク１に対して近接離隔させるための駆動カムを兼ねているので、部品点数の減少が図れることになり、ディスク装置の小型化、低コスト化を図ることができる。
【００５１】
（１６）連結部材４２３は略平板状に形成されているから、ディスク装置の薄型化を達成することができる。
【００５２】
（１７）連結部材４２３に突起４２３Ａを形成し、この突起４２３Ａを案内するガイド溝４２１Ｂをアーム４２１に形成しているので、突起４２３Ａ及びガイド溝４２１Ｂという簡易な構造でアーム４２１の回動を確実に連結部材４２３に伝達することができる。
【００５３】
（１８）アーム４２１の先端にローラ状の当接部４２１Ａを設けたので、仮に、強い力で光ディスク１をスロット１０Ａから押し込んでも、光ディスク１に当接する当接部４２１Ａが回転するので、光ディスク１の周縁部に傷をつけることがない。
【００５４】
（１９）本実施形態のディスク装置は、ターンテーブル２３に配置された光ディスク１をスロット１０Ａに向けて排出するディスク排出機構４３を備え、このディスク排出機構４３は、装置本体１０の内部の奥側に設けられた第１ディスク送り出し機構６１と、この第１ディスク送り出し機構６１よりスロット１０Ａ側に配置され第１ディスク送り出し機構６１で送り出された光ディスク１をスロット１０Ａまで送り出す第２ディスク送り出し機構とを備えたから、スロット１０Ａの奥側と入り口側とにそれぞれ設けられた第１ディスク送り機構６１及び第２ディスク送り機構によって小さな光ディスク１をターンテーブル２３からスロット１０Ａまで受け渡して外部に排出するので、光ディスク１の表裏面を挟んで一対のローラを設けなくても、しかも、光ディスク１の径の大きさを判別するスイッチ類を設けなくても、小さな光ディスク１をスロット１０Ａから外部に排出することができる。
【００５５】
（２０）第２ディスク送り出し機構はディスクガイド機構４１を兼ねているため、部品点数の減少が図れることになり、ディスク装置の小型化、低コスト化を図ることができる。
【００５６】
（２１）第１ディスク送り出し機構６１は、一端部が装置本体１０の内部に回動自在に支持され他端部が光ディスク１の周縁部と当接するイジェクトアーム６１１，６１２を備えて構成されている。そのため、イジェクトアーム６１１，６１２の一端部を回動中心として回動することで、光ディスク１を簡単にスロット１０Ａ側に送り出すことができるので、第１ディスク送り出し機構６１の構造を簡易なものにできる。
【００５７】
（２２）イジェクトアーム６１１，６１２は、その先端部に光ディスク１の周縁部と当接するローラ状の当接部６１Ａを備えたから、光ディスク１をスロット１０Ａから押し込んでも、光ディスク１に当接する当接部４２１Ａが回転するので、光ディスク１の周縁部に傷をつけることがない。
【００５８】
（２３）イジェクトアーム６１１，６１２は、ターンテーブル２３を挟んで一対設けられているから、光ディスク１の左右に力がかかるので、光ディスク１をスロット１０Ａに向けて真っ直ぐに送り出すことができる。
【００５９】
〔実施形態の変形〕
なお、本発明は、上述した各実施の形態に限定されるものではなく、本発明の目的を達成できる範囲で以下に示される変形をも含むものである。
【００６０】
例えば、前記実施形態では、ディスクガイド機構４１を常時前進する方向に付勢させていたが、本発明では、別途、モータ及び歯車機構を設けてディスクガイド機構４１を進退させる構成としてもよい。
さらに、ディスク径検知機構４２は、一端部が光ディスク１と当接するとともに他端部側が回動自在とされたアーム４２１により光ディスク１の大きさを検知する構成としたが、本発明では、この構成に限定されるものではなく、例えば、スロット１０Ａに沿って進退自在なロッドを設け、このロッドの進退を、カム機構等を介して連動させる手段を採用することでもよい。
【００６１】
また、ディスクガイド機構４１は２本の第１リンク４１１及び１本の第２リンク４１２からなる平行リンクの構成に限定されるものではなく、たとえば、第２リンク４１２の両端部にコイルばねを直接連結する構成でもよい。
さらに、本発明では、ディスク送り機構５０やディスク排出機構４３を必ずしも設けることを要しない。仮に、ディスク排出機構４３を設ける場合であっても、前記実施形態とは異なり、ディスクガイド機構４１を第２ディスク送り出し機構とは別個に設ける構成でもよい。
また、大きさの異なる光ディスク１として８ｃｍと１２ｃｍとの２種類を例示したが、３種類以上の光ディスク１に本発明を適用することができる。
その他、本発明の実施の際の具体的な構造および手順は、本発明の目的を達成できる範囲で他の構造などに適宜変更できる。
【００６２】
〔実施の形態の効果〕
前述したように、光ディスク１を挿入排出するためのスロット１０Ａが設けられた装置本体１０と、この装置本体１０の内部に設けられるとともに光ディスク１を回転駆動するターンテーブル２３と、装置本体１０の内部のスロット１０Ａの一端部側に設けられ光ディスク１をガイドするディスクガイド機構４１と、装置本体１０の内部のスロット１０Ａの他端部側に設けられスロット１０Ａに挿入された光ディスク１が大きい場合にはディスクガイド機構４１を後退させ光ディスク１が小さい場合にはディスクガイド機構４１を前進させるディスク径検知機構４２とを備えてディスク装置を構成としたから、スロット１０Ａの両側に配置されるディスクガイド機構４１とディスク径検知機構４２とで、径の大きさに応じて光ディスク１のセンタリングを行うことができる。そのため、光ディスク１の表裏面を挟んで一対のローラを設けなくても、しかも、光ディスク１の径の大きさを判別するスイッチ類を設けなくても、大きさの異なる光ディスク１を薄型化したディスク装置に適用することができる。
【産業上の利用可能性】
【００６３】
本発明は、ディスク状記録媒体を挿入排出するためのスロットが装置本体に設けられ、この装置本体の内部の略中心部にディスク状記録媒体を回転駆動する駆動部が設けられた記録媒体駆動装置に利用できる。
【図面の簡単な説明】
【００６４】
【図１】本発明の一実施形態にかかる記録媒体駆動装置の概略構成を示す平面図である。
【図２Ａ】回動阻止用リンクと第１リンクとの関係を示す概略図であり、回動阻止用リンクに第１リンクが干渉する直前を示したものである。
【図２Ｂ】回動阻止用リンクと第１リンクとの関係を示す概略図であり、回動阻止用リンクに第１リンクが干渉した直後を示したものである。
【図３】カム溝の詳細な構造を示す平面図である。
【図４】大きな光ディスクを適用して前記実施形態の動作を説明する図１に相当する図である。
【図５】前記実施形態の動作を説明する図１に相当する図である。
【図６】前記実施形態の動作を説明する図１に相当する図である。
【図７】前記実施形態の動作を説明する図１に相当する図である。
【図８】前記実施形態の動作を説明する図１に相当する図である。
【図９】前記実施形態の動作を説明する図１に相当する図である。
【図１０】小さな光ディスクを適用して前記実施形態の動作を説明する図１に相当する図である。
【図１１】前記実施形態の動作を説明する図１に相当する図である。
【図１２】前記実施形態の動作を説明する図１に相当する図である。
【図１３】前記実施形態の動作を説明する図１に相当する図である。
【図１４】前記実施形態の動作を説明する図１に相当する図である。
【符号の説明】
【００６５】
１…光ディスク（ディスク状記録媒体）
１０…装置本体
１０Ａ…スロット
２３…ターンテーブル（駆動部）
４１…ディスクガイド機構（第２ディスク送り出し機構）
４１Ａ…当接部
４１１…第１リンク
４１２…第２リンク
４２…ディスク径検知機構
４２１…アーム
４２１Ａ…当接部
４２１Ｂ…ガイド溝
４２２…アームリンク機構
４２３…連結部材
４２３Ａ…突起
４２４…回動阻止用リンク
４２４Ａ…ストッパ部
４３…ディスク排出機構
４４…第１の駆動カム
４５…第２の駆動カム
５０…ディスク送り機構
５１…ディスク送り用カム部
５２…突起部
５３…カム溝
５３Ａ…第１カム溝
５３Ｂ…第２カム溝
５３Ｃ…共通カム溝
５３Ｄ…湾曲部
６０…ディスク排出機構
６１…第１ディスク送り出し機構
６１Ａ…当接部
６１１，６１２…イジェクトアーム
【図１】
0004347889.tif 000002
【図２Ａ】
0004347889.tif 000003
【図２Ｂ】
0004347889.tif 000004
【図３】
0004347889.tif 000005
【図４】
0004347889.tif 000006
【図５】
0004347889.tif 000007
【図６】
0004347889.tif 000008
【図７】
0004347889.tif 000009
【図８】
0004347889.tif 000010
【図９】
0004347889.tif 000011
【図１０】
0004347889.tif 000012
【図１１】
0004347889.tif 000013
【図１２】
0004347889.tif 000014
【図１３】
0004347889.tif 000015
【図１４】
0004347889.tif 000016